(57)【要約】      （修正有）【課題】壁に既に一般用の商用電源接続部および信号回線接続部が埋設されている場合であっても専用の機器側コネクタに対応した専用の給電側コネクタを壁に埋設する新たな工事なしで対応するケーブル付コネクタ装置を提供すること。【解決手段】壁Ｗに設置された商用電源接続部Ｗ１に接続される電源コネクタ１１０と、壁Ｗに設置された信号回線接続部Ｗ２と接続される信号回線コネクタ１２０と、電源コネクタ１１０から電源ケーブル１３１を介して接続された給電側給電端子と信号回線コネクタ１２０から信号ケーブル１３２を介して接続された給電側信号端子とを含む給電側端子群１４４を備えた給電側コネクタ１４０と、機器側給電端子と機器側信号端子とを含む機器側端子群１５２を備えて給電側コネクタ１４０と接続自在な機器側コネクタ１５０とを備えているケーブル付コネクタ装置１００。【選択図】図２
2017073258.tif 000002
【特許請求の範囲】
【請求項１】
壁に設置された商用電源接続部に接続される電源コネクタと、前記壁に設置された信号回線接続部と接続される信号回線コネクタと、前記電源コネクタから電源ケーブルを介して接続された１以上である第１所定数の給電側給電端子と前記信号回線コネクタから信号ケーブルを介して接続された複数である第２所定数の給電側信号端子とを含む給電側端子群を備えた給電側コネクタと、前記第１所定数の給電側給電端子と接続自在な前記第１所定数の機器側給電端子と前記第２所定数の給電側信号端子と接続自在な前記第２所定数の機器側信号端子とを含む機器側端子群を備えて給電側コネクタと接続自在な機器側コネクタとを備えたケーブル付コネクタ装置であって、
前記機器側給電端子および機器側信号端子が、平板型の雄型端子であり、
前記給電側給電端子および給電側信号端子が、前記機器側コネクタと給電側コネクタとの着脱方向に対して交差する所定方向で前記雄型端子をそれぞれ挟み込む雌型端子であり、
前記給電側コネクタが、前記給電側給電端子および給電側信号端子を前記所定方向に所定範囲内で移動自在にそれぞれ保持していることを特徴とするケーブル付コネクタ装置。
【請求項２】
前記給電側コネクタが、前記給電側端子群のそれぞれ接触するとともに弾性変形により給電側端子群をそれぞれ付勢する複数の付勢手段付導電端子と、該複数の付勢手段付導電端子を設置した基板と、前記所定方向に延設されて給電側端子群をそれぞれ挿通させる複数のスリットとを有し、
前記付勢手段付導電端子が、前記機器側コネクタと給電側コネクタとの着脱方向および前記所定方向に直交する直交方向に給電側端子群をそれぞれ付勢していることを特徴とする請求項１に記載のケーブル付コネクタ装置。
【請求項３】
前記機器側コネクタが、前記所定方向に離間した一対の凸状案内部を有し、
前記給電側コネクタが、前記所定方向に離間するとともに一対の凸状案内部と嵌合する一対の凹状案内部と、前記一対の凹状案内部の内側および外側の少なくとも一方に設置されるとともに機器側コネクタと給電側コネクタとの着脱方向に対して傾斜して当接した凸状案内部を凹状案内部へ案内する一対の傾斜案内部とを有し、
前記機器側コネクタと給電側コネクタとが接続されるとき、前記一対の凸状案内部が前記一対の凹状案内部内にそれぞれ進入した後に、前記機器側端子群が前記給電側端子群とそれぞれ接触することを特徴とする請求項１または請求項２に記載のケーブル付コネクタ装置。
【請求項４】
前記機器側コネクタが、機器と機器電源ケーブルを介して直接接続された機器電源コネクタの雄型端子と接続自在な電源供給用雌型端子と、前記機器と機器信号ケーブルを介して直接接続された機器信号コネクタの機器信号端子と接続自在な信号用端子とを備えていることを特徴とする請求項１乃至請求項３のいずれか１つに記載のケーブル付コネクタ装置。
【請求項５】
前記壁が、病院の病室の壁であり、
前記機器が、病院の病室に設置される移動自在な床頭台に設けられた機器であることを特徴とする請求項１乃至請求項４のいずれか１つに記載のケーブル付コネクタ装置。
【発明の詳細な説明】
【技術分野】
【０００１】
本発明は、壁に設置された商用電源接続部および信号回線接続部と機器側コネクタとを接続するコネクタ装置であって、特に、電源ケーブルおよび信号ケーブルと接続した給電側コネクタを介して接続するケーブル付コネクタ装置に関する。
例えば、壁は、病院の病室の壁であり、機器は、病院の病室に設置される移動自在な床頭台に設けられた機器である。
【背景技術】
【０００２】
従来、コネクタ装置として、病室の壁に設置された給電側コネクタと、病室の床頭台側に設けられて給電側コネクタと接続自在な機器側コネクタとを備え、給電側コネクタが、給電側給電端子群と給電側信号端子とを有し、機器側コネクタが、機器側給電端子群と機器側信号端子とを有したコネクタ装置が知られている（例えば、特許文献１および特許文献２）。
【先行技術文献】
【特許文献】
【０００３】
【特許文献１】特開２０１４−１１１６４号公報（特に、図３参照）
【特許文献２】特開２０１４−１１０１１号公報（特に、図３参照）
【発明の概要】
【発明が解決しようとする課題】
【０００４】
しかしながら、上述した従来のコネクタ装置は、機器側コネクタと対応する専用の給電側コネクタが工事によって病室の壁に埋設された構造であったため、壁に既に一般用コンセントである一般用の商用電源接続部およびＬＡＮ用ソケットや地上デジタルテレビ放送用ソケットなどの一般用の信号回線接続部が埋設されている場合にそのままでは対応することが困難であり、専用の給電側コネクタを壁に埋設する新たな工事が必要であった。
【０００５】
そこで、本発明の目的は、壁に既に一般用の商用電源接続部および信号回線接続部が埋設されている場合であっても専用の機器側コネクタに対応した専用の給電側コネクタを壁に埋設する新たな工事なしで対応するケーブル付コネクタ装置を提供することである。
【課題を解決するための手段】
【０００６】
本請求項１に係る発明は、壁に設置された商用電源接続部に接続される電源コネクタと、前記壁に設置された信号回線接続部と接続される信号回線コネクタと、前記電源コネクタから電源ケーブルを介して接続された１以上である第１所定数の給電側給電端子と前記信号回線コネクタから信号ケーブルを介して接続された複数である第２所定数の給電側信号端子とを含む給電側端子群を備えた給電側コネクタと、前記第１所定数の給電側給電端子と接続自在な前記第１所定数の機器側給電端子と前記第２所定数の給電側信号端子と接続自在な前記第２所定数の機器側信号端子とを含む機器側端子群を備えて給電側コネクタと接続自在な機器側コネクタとを備えたケーブル付コネクタ装置であって、前記機器側給電端子および機器側信号端子が、平板型の雄型端子であり、前記給電側給電端子および給電側信号端子が、前記機器側コネクタと給電側コネクタとの着脱方向に対して交差する所定方向で前記雄型端子をそれぞれ挟み込む雌型端子であり、前記給電側コネクタが、前記給電側給電端子および給電側信号端子を前記所定方向に所定範囲内で移動自在にそれぞれ保持していることにより、前述した課題を解決するものである。
【０００７】
本請求項２に係る発明は、請求項１に記載されたケーブル付コネクタ装置の構成に加えて、前記給電側コネクタが、前記給電側端子群のそれぞれ接触するとともに弾性変形により給電側端子群をそれぞれ付勢する複数の付勢手段付導電端子と、該複数の付勢手段付導電端子を設置した基板と、前記所定方向に延設されて給電側端子群をそれぞれ挿通させる複数のスリットとを有し、前記付勢手段付導電端子が、前記機器側コネクタと給電側コネクタとの着脱方向および前記所定方向に直交する直交方向に給電側端子群をそれぞれ付勢していることにより、前述した課題をさらに解決するものである。
【０００８】
本請求項３に係る発明は、請求項１または請求項２に記載されたケーブル付コネクタ装置の構成に加えて、前記機器側コネクタが、前記所定方向に離間した一対の凸状案内部を有し、前記給電側コネクタが、前記所定方向に離間するとともに一対の凸状案内部と嵌合する一対の凹状案内部と、前記一対の凹状案内部の内側および外側の少なくとも一方に設置されるとともに機器側コネクタと給電側コネクタとの着脱方向に対して傾斜して当接した凸状案内部を凹状案内部へ案内する一対の傾斜案内部とを有し、前記機器側コネクタと給電側コネクタとが接続されるとき、前記一対の凸状案内部が前記一対の凹状案内部内にそれぞれ進入した後に、前記機器側端子群が前記給電側端子群とそれぞれ接触することにより、前述した課題をさらに解決するものである。
【０００９】
本請求項４に係る発明は、請求項１乃至請求項３のいずれか１つに記載されたケーブル付コネクタ装置の構成に加えて、前記機器側コネクタが、機器と機器電源ケーブルを介して直接接続された機器電源コネクタの雄型端子と接続自在な電源供給用雌型端子と、前記機器と機器信号ケーブルを介して直接接続された機器信号コネクタの機器信号端子と接続自在な信号用端子とを備えていることにより、前述した課題をさらに解決するものである。
【００１０】
本請求項５に係る発明は、請求項１乃至請求項４のいずれか１つに記載されたケーブル付コネクタ装置の構成に加えて、前記壁が、病院の病室の壁であり、前記機器が、病院の病室に設置される移動自在な床頭台に設けられた機器であることにより、前述した課題をさらに解決するものである。
【発明の効果】
【００１１】
本発明のケーブル付コネクタ装置は、給電側コネクタと、この給電側コネクタと接続自在な機器側コネクタとを備えていることにより、電源および信号を給電側コネクタ側から機器側コネクタへ供給することができるばかりでなく、以下のような特有の効果を奏することができる。
【００１２】
本請求項１に係る発明のケーブル付コネクタ装置によれば、壁に設置された商用電源接続部に接続される電源コネクタと、壁に設置された信号回線接続部と接続される信号回線コネクタと、電源コネクタから電源ケーブルを介して接続された１以上である第１所定数の給電側給電端子と信号回線コネクタから信号ケーブルを介して接続された複数である第２所定数の給電側信号端子とを含む給電側端子群を備えた給電側コネクタと、第１所定数の給電側給電端子と接続自在な第１所定数の機器側給電端子と第２所定数の給電側信号端子と接続自在な第２所定数の機器側信号端子とを含む機器側端子群を備えて給電側コネクタと接続自在な機器側コネクタとを備えていることにより、専用の機器側コネクタと壁に設置された一般用の商用電源接続部および信号回線接続部とが中継接続されるため、壁に既に一般用の商用電源接続部および信号回線接続部が埋設されている場合であっても専用の機器側コネクタに対応した専用の給電側コネクタを壁に埋設する新たな工事なしで対応することができる。
さらに、機器側給電端子および機器側信号端子が、平板型の雄型端子であり、給電側給電端子および給電側信号端子が、機器側コネクタと給電側コネクタとの着脱方向に対して交差する所定方向で雄型端子をそれぞれ挟み込む雌型端子であり、給電側コネクタが、給電側給電端子および給電側信号端子を所定方向に所定範囲内で移動自在にそれぞれ保持していることにより、給電側給電端子および給電側信号端子が所定方向に所謂、遊びがある状態で保持されて機器側コネクタと給電側コネクタとが接離移動する際に機器側コネクタと給電側コネクタとの相対的な特に先端側姿勢の所定方向での変化に起因する機器側給電端子および機器側信号端子の姿勢の変化に給電側給電端子および給電側信号端子がそれぞれ追従自在となるため、接続する端子数が多い場合であっても機器側コネクタと給電側コネクタとの着脱をスムーズにするとともに接触不良を回避して長期に亘って通電状態を安定させることができ、さらに平板型の雄型端子である機器側給電端子および機器側信号端子の破損を長期に亘って回避することができる。
【００１３】
本請求項２に係る発明のケーブル付コネクタ装置によれば、請求項１に係る発明が奏する効果に加えて、給電側コネクタが、給電側端子群のそれぞれ接触するとともに弾性変形により給電側端子群をそれぞれ付勢する複数の付勢手段付導電端子と、この複数の付勢手段付導電端子を設置した基板と、所定方向に延設されて給電側端子群をそれぞれ挿通させる複数のスリットとを有し、付勢手段付導電端子が、機器側コネクタと給電側コネクタとの着脱方向および所定方向に直交する直交方向に給電側端子群をそれぞれ付勢していることにより、給電側端子群の位置および姿勢が安定するため、給電側端子群が遊びの範囲内で移動したときにカタカタと音が生じることを回避することができる。
さらに、機器側コネクタと給電側コネクタとの接続状態である通電状態の給電側端子群の位置および姿勢が保持されるため、接触不良をより確実に回避することができる。
また、給電側給電端子および給電側信号端子がそれぞれ付勢手段付導電端子を介して基板と通電されるため、給電側コネクタの導線を不要にして構造を簡素化することができる。
さらに、所定方向においてスリットと給電側端子群との間に隙間が生じるため、所定方向の給電側端子群の遊びを容易に設けることができる。
【００１４】
本請求項３に係る発明のケーブル付コネクタ装置によれば、請求項１または請求項２に係る発明が奏する効果に加えて、機器側コネクタが、所定方向に離間した一対の凸状案内部を有し、給電側コネクタが、所定方向に離間するとともに一対の凸状案内部と嵌合する一対の凹状案内部と、一対の凹状案内部の内側および外側の少なくとも一方に設置されるとともに機器側コネクタと給電側コネクタとの着脱方向に対して傾斜して当接した凸状案内部を凹状案内部へ案内する一対の傾斜案内部とを有し、前記機器側コネクタと給電側コネクタとが接続されるとき、前記一対の凸状案内部が前記一対の凹状案内部内にそれぞれ進入した後に、前記機器側端子群が前記給電側端子群とそれぞれ接触することにより、機器側コネクタと給電側コネクタとが接続される際、傾斜案内部に当接した凸状案内部が凹状案内部へ案内されて機器側コネクタと給電側コネクタとの相対的な位置関係が決められるため、容易に機器側コネクタと給電側コネクタとを接続することができる。
さらに、機器側コネクタと給電側コネクタとの相対的な位置関係が決められた後に機器側端子群が給電側端子群と接触して機器側端子群および給電側端子群に着脱方向と直交する方向の負荷が生じないため、長期に亘って機器側端子群および給電側端子群の破損を回避することができる。
【００１５】
本請求項４に係る発明のケーブル付コネクタ装置によれば、請求項１乃至請求項３のいずれか１つに係る発明が奏する効果に加えて、機器側コネクタが、機器と機器電源ケーブルを介して直接接続された機器電源コネクタの雄型端子と接続自在な電源供給用雌型端子と、機器と機器信号ケーブルを介して直接接続された機器信号コネクタの機器信号端子と接続自在な信号用端子とを備えていることにより、機器が専用の機器側コネクタを有してなく一般用の機器電源コネクタと機器信号コネクタとの複数のコネクタを有している場合であっても機器電源コネクタおよび機器信号コネクタが機器側コネクタと接続されて全ての接続・接続解除切り換え可能箇所が、機器側コネクタと給電側コネクタとの接続箇所の１箇所となるため、機器の機器電源コネクタおよび機器信号コネクタの仕様を変更することなく容易に全ての接続・接続解除を切り換えることができる。
【００１６】
本請求項５に係る発明のケーブル付コネクタ装置によれば、請求項１乃至請求項４のいずれか１つに係る発明が奏する効果に加えて、壁が、病院の病室の壁であり、機器が、病院の病室に設置される移動自在な床頭台に設けられた機器であることにより、病室の床頭台は患者用ベッドとともに移動することが通常であり機器側コネクタと給電側コネクタとを着脱するだけで全ての接続・接続解除切り換え自在となるため、容易に床頭台および患者用ベッドを病室間や病室内で移動し、電源および回線信号を確実に供給することができる。
【図面の簡単な説明】
【００１７】
【図１】本発明の第１実施例のケーブル付コネクタ装置の一部を示す概略斜視図。
【図２】本発明の第１実施例のケーブル付コネクタ装置の概略構成図。
【図３】（Ａ）は第１実施例の給電側コネクタの一部ケース切り欠き透視正面図、（Ｂ）は第１実施例の機器側コネクタの背面図。
【図４】（Ａ）は図３（Ｂ）に示す符号４Ａ−４Ａで視た断面図、（Ｂ）は図３（Ａ）に示す符号４Ｂ−４Ｂで視た断面図。
【図５】（Ａ）は図３（Ｂ）に示す符号５Ａ−５Ａで視た側断面図、（Ｂ）は図３（Ａ）に示す符号５Ｂ−５Ｂで視た断面図。
【図６】第１実施例の給電側コネクタと機器側コネクタとの接続状態を示す断面図。
【図７】本発明の第２実施例のケーブル付コネクタ装置の概略構成図。
【図８】（Ａ）は第２実施例の給電側コネクタの一部ケース切り欠き透視正面図、（Ｂ）は第２実施例の機器側コネクタの一部ケース切り欠き透視背面図。
【図９】（Ａ）は図８（Ｂ）に示す符号９Ａ−９Ａで視た断面図、（Ｂ）は図８（Ａ）に示す符号９Ｂ−９Ｂで視た断面図。
【図１０】（Ａ）は図８（Ｂ）に示す符号１０Ａ−１０Ａで視た側断面図、（Ｂ）は図８（Ａ）に示す符号１０Ｂ−１０Ｂで視た断面図。
【発明を実施するための形態】
【００１８】
本発明のケーブル付コネクタ装置は、壁に設置された商用電源接続部に接続される電源コネクタと、壁に設置された信号回線接続部と接続される信号回線コネクタと、電源コネクタから電源ケーブルを介して接続された１以上である第１所定数の給電側給電端子と信号回線コネクタから信号ケーブルを介して接続された複数である第２所定数の給電側信号端子とを含む給電側端子群を備えた給電側コネクタと、第１所定数の給電側給電端子と接続自在な第１所定数の機器側給電端子と第２所定数の給電側信号端子と接続自在な第２所定数の機器側信号端子とを含む機器側端子群を備えて給電側コネクタと接続自在な機器側コネクタとを備え、機器側給電端子および機器側信号端子が、平板型の雄型端子であり、給電側給電端子および給電側信号端子が、機器側コネクタと給電側コネクタとの着脱方向に対して交差する所定方向で雄型端子をそれぞれ挟み込む雌型端子であり、給電側コネクタが、給電側給電端子および給電側信号端子を所定方向に所定範囲内で移動自在にそれぞれ保持していることにより、壁に既に一般用の商用電源接続部および信号回線接続部が埋設されている場合であっても専用の機器側コネクタに対応した専用の給電側コネクタを壁に埋設する新たな工事なしで対応可能となるものであれば、その具体的な実施態様は、如何なるものであっても構わない。
【００１９】
例えば、信号回線コネクタは、ＬＡＮ（Local Area Network）用コネクタや地デジ（地上デジタルテレビ放送）用コネクタなど信号通信用のコネクタであれば、如何なるものであっても構わない。
また、電源ケーブルおよび信号ケーブルは、それぞれ独立して設けられていてもよく、複合ケーブルとして一体に設けられていてもよい。
【実施例１】
【００２０】
以下に、本発明の第１実施例であるケーブル付コネクタ装置１００について、図１乃至図６に基づいて説明する。
ここで、図１は、本発明の第１実施例のケーブル付コネクタ装置１００の一部を示す概略斜視図であり、図２は、本発明の第１実施例のケーブル付コネクタ装置１００の概略構成図であり、図３（Ａ）は、第１実施例の給電側コネクタ１４０の一部ケース切り欠き透視正面図であり、図３（Ｂ）は、第１実施例の機器側コネクタ１５０の背面図であり、図４（Ａ）は、図３（Ｂ）に示す符号４Ａ−４Ａで視た断面図であり、図４（Ｂ）は、図３（Ａ）に示す符号４Ｂ−４Ｂで視た断面図であり、図５（Ａ）は、図３（Ｂ）に示す符号５Ａ−５Ａで視た側断面図であり、図５（Ｂ）は、図３（Ａ）に示す符号５Ｂ−５Ｂで視た断面図であり、図６は、第１実施例の給電側コネクタ１４０と機器側コネクタ１５０との接続状態を示す断面図である。
【００２１】
本発明の第１実施例であるケーブル付コネクタ装置１００は、図１乃至図６に示すように、電源コネクタ１１０と、信号回線コネクタ１２０と、複合ケーブル１３０と、給電側コネクタ１４０と、機器側コネクタ１５０とを備えている。
このうち、電源コネクタ１１０は、一例として病院の病室の壁Ｗに設置された一般用交流電源コンセントである商用電源接続部Ｗ１に接続されるように構成されている。
信号回線コネクタ１２０は、一例として地デジ用コネクタとＬＡＮ用コネクタとの２つ設けられ、壁Ｗに設置された地デジ用ソケットおよびＬＡＮ用ソケットである信号回線接続部Ｗ２とそれぞれ接続されるように構成されている。
【００２２】
複合ケーブル１３０は、電源電圧を供給する電源ケーブル１３１と、地デジの信号やＬＡＮの信号を伝達する信号ケーブル１３２とからなる。
このうち、電源ケーブル１３１は、電源コネクタ１１０から給電側コネクタ１４０へ電源電圧を供給するように設けられている。
他方、信号ケーブル１３２は、信号回線コネクタ１２０と給電側コネクタ１４０との間で信号を伝達するように構成されている。
【００２３】
給電側コネクタ１４０は、機器側コネクタ１５０と接続自在に設けられ、給電側コネクタ前ケース１４１と、給電側端子位置決め板１４２と、給電側コネクタ後ケース１４３と、給電側端子群１４４と、給電側コネクタ基板１４５とを備えている。
このうち、給電側コネクタ前ケース１４１と給電側コネクタ後ケース１４３とが、給電側端子位置決め板１４２と、給電側端子群１４４と、給電側コネクタ基板１４５とを覆うように設けられている。
【００２４】
給電側コネクタ前ケース１４１には、機器側端子挿通スリット１４１ａと、凹状案内部１４１ｂと、傾斜案内部１４１ｃとが形成されている。
機器側端子挿通スリット１４１ａは、給電側端子群１４４と対応して配設され、給電側コネクタ１４０と機器側コネクタ１５０とが接続する際に、後述する機器側端子群１５２がそれぞれ挿通するように設けられている。
【００２５】
凹状案内部１４１ｂは、機器側コネクタ１５０と給電側コネクタ１４０との着脱方向Ｓに対して交差する所定方向Ｔに一対離間して配設され、機器側コネクタ１５０の後述する凸状案内部１５１ａと嵌合するように構成されている。
傾斜案内部１４１ｃは、一対の凹状案内部１４１ｂの外側に一対配設され、給電側コネクタ１４０と機器側コネクタ１５０とが接続する際に当接した凸状案内部１５１ａを凹状案内部１４１ｂに案内するように設けられている。
なお、傾斜案内部１４１ｃの位置は、一対の凹状案内部１４１ｂの内側でもよい。
【００２６】
給電側端子群１４４は、電源ケーブル１３１と電気的に接続された給電側給電端子１４４ａと、信号ケーブル１３２と電気的に接続された給電側信号端子１４４ｂとからなり、それぞれ接続方向先端側である一端側が所定方向Ｔに二股に分かれて後述する機器側端子群１５２の平板型の雄型端子を所定方向Ｔでそれぞれ挟み込む雌型端子である。
なお、給電側端子群１４４は、前記一端側が雌型であればよく、二股型以外の円筒型でもよい。
さらに、給電側端子群１４４は、漏電、ショートなどの安全対策のために給電側コネクタ１４０の内部に収納された状態で配置されている。
また、給電側給電端子１４４ａおよび給電側信号端子１４４ｂは、それぞれ給電側端子位置決め板１４２の給電側端子挿通スリット１４２ａに所定方向Ｔにおいて所謂、遊びがある状態で挿通されている。
【００２７】
本実施例では、給電側給電端子１４４ａが、所定方向Ｔに５つ配設され、図３（Ａ）における右端の給電側給電端子１４４ａはアース用である。
本実施例では、給電側信号端子１４４ｂが、所定方向Ｔに５つ並んだものを２段配設され、図３（Ａ）における上段下段それぞれ右端の給電側信号端子１４４ｂは地デジ用であり、その他８つの給電側信号端子１４４ｂはＬＡＮ用である。
なお、給電側端子位置決め板１４２は、図５（Ａ）に示すように、一例として給電側コネクタ前ケース１４１に背面側からねじ留めされている。
【００２８】
また、給電側コネクタ基板１４５は、給電側端子位置決め板１４２より背面側に設置され、給電側端子群１４４の接続方向後端側である他端側が給電側コネクタ基板１４５の給電側端子挿通穴１４５ａに所定方向Ｔにおいて遊びがある状態で挿通されるとともに、給電側コネクタ基板１４５に設けられた付勢手段付導電端子１４５ｂと接触している。
付勢手段付導電端子１４５ｂは、給電側端子群１４４の他端側を弾性変形によるばね力（弾性力）で、着脱方向Ｓおよび所定方向Ｔに直交する直交方向Ｕに付勢している。
【００２９】
これにより、給電側端子群１４４の位置および姿勢が安定する。
つまり、給電側端子群１４４が所定方向Ｔの遊びの範囲内で移動して給電側コネクタ前ケース１４１や給電側端子位置決め板１４２や給電側コネクタ基板１４５と衝突することに起因したカタカタ等の音の発生が回避される。
さらに、機器側コネクタ１５０と給電側コネクタ１４０との接続状態である通電状態の給電側端子群１４４の位置および姿勢が保持される。
また、給電側給電端子１４４ａおよび給電側信号端子１４４ｂがそれぞれ付勢手段付導電端子１４５ｂを介して給電側コネクタ基板１４５と通電される。
つまり、給電側コネクタ１４０の内部の導線が不要になる。
なお、給電側コネクタ１４０と機器側コネクタ１５０との着脱の際に、給電側端子群１４４の姿勢を機器側端子群１５２の姿勢に追従させるために、給電側端子挿通スリット１４２ａにおける所定方向Ｔの遊びが十分に設けられていれば、給電側端子挿通穴１４５ａにおける所定方向Ｔの遊びは、極僅かでよい。
【００３０】
本実施例では、機器側コネクタ１５０は、一例として、テレビなどの機器ＤＥが設置された床頭台ＢＴにカバースカートＣＶを介して一体に取付られている。
機器側コネクタ１５０は、機器側コネクタ前ケース１５１と、機器側端子群１５２と、機器側コネクタ基板１５３とを備えている。
機器側コネクタ前ケース１５１は、床頭台ＢＴとともに一例としてねじによって機器側端子群１５２が取付けられた機器側コネクタ基板１５３を覆うように構成されている。
【００３１】
機器側コネクタ前ケース１５１には、一対の凸状案内部１５１ａが所定方向Ｔに離間して設置され、前述したように、給電側コネクタ１４０と機器側コネクタ１５０とが接続する際に凸状案内部１５１ａが、傾斜案内部１４１ｃと当接して傾斜案内部１４１ｃによって凹状案内部１４１ｂへ案内されて凹状案内部１４１ｂと嵌合するように構成されている。
さらに、機器側コネクタ１５０と給電側コネクタ１４０とが接続されるとき、一対の凸状案内部１５１ａが一対の凹状案内部内１４１ｂにそれぞれ進入した後に、機器側端子群１５２が給電側端子群１４４とそれぞれ接触するように構成されている。
【００３２】
機器側端子群１５２は、給電側給電端子１４４ａと接続する機器側給電端子１５２ａと、給電側信号端子１４４ｂと接続する機器側信号端子１５２ｂとからなり、それぞれ接続方向先端側である一端側が平板型の雄型端子である。
なお、機器側端子群１５２は、前記一端側が雄型であればよく、平板型以外の円柱ピン型でもよい。
また、機器側給電端子１５２ａおよび機器側信号端子１５２ｂのそれぞれ一端側は、機器側コネクタ前ケース１５１の挿通穴１５１ｂを介して機器側コネクタ前ケース１５１から突出している。
【００３３】
本実施例では、機器側給電端子１５２ａが、所定方向Ｔに５つ配設され、図３（Ｂ）における右端の機器側給電端子１５２ａはアース用である。
本実施例では、機器側信号端子１５２ｂが、所定方向Ｔに５つ並んだものを２段配設され、図３（Ｂ）における上段下段それぞれ右端の機器側信号端子１５２ｂは地デジ用であり、その他８つの機器側信号端子１５２ｂはＬＡＮ用である。
【００３４】
本実施例では、ケーブル付コネクタ装置１００が、上述したように、壁Ｗに設置された商用電源接続部Ｗ１に接続される電源コネクタ１１０と、壁Ｗに設置された信号回線接続部Ｗ２と接続される信号回線コネクタ１２０と、電源コネクタ１１０から電源ケーブル１３１を介して接続された給電側給電端子１４４ａと信号回線コネクタ１２０から信号ケーブル１３２を介して接続された給電側信号端子１４４ｂとを含む給電側端子群１４４を備えた給電側コネクタ１４０と、機器側給電端子１５２ａと機器側信号端子１５２ｂとを含む機器側端子群１５２を備えて給電側コネクタ１４０と接続自在な機器側コネクタ１５０とを備えている。
これにより、専用の機器側コネクタ１５０と壁Ｗに設置された一般用の商用電源接続部Ｗ１および信号回線接続部Ｗ２とが中継接続される。
【００３５】
さらに、機器側給電端子１５２ａおよび機器側信号端子１５２ｂが、平板型の雄型端子であり、給電側給電端子１４４ａおよび給電側信号端子１４４ｂが、機器側コネクタ１５０と給電側コネクタ１４０との着脱方向Ｓに対して交差する所定方向Ｔで雄型端子である機器側給電端子１５２ａおよび機器側信号端子１５２ｂをそれぞれ挟み込む雌型端子であり、給電側コネクタ１４０が、給電側給電端子１４４ａおよび給電側信号端子１４４ｂを所定方向Ｔに所定範囲内で移動自在にそれぞれ保持している。
これにより、給電側給電端子１４４ａおよび給電側信号端子１４４ｂが所定方向Ｔに所謂、遊びがある状態で保持されて機器側コネクタ１５０と給電側コネクタ１４０とが接離移動する際に機器側コネクタ１５０と給電側コネクタ１４０との相対的な特に先端側姿勢の所定方向Ｔでの変化に起因する機器側給電端子１５２ａおよび機器側信号端子１５２ｂの姿勢の変化に給電側給電端子１４４ａおよび給電側信号端子１４４ｂがそれぞれ追従自在となる。
【００３６】
また、本実施例では、壁Ｗが、病院の病室の壁Ｗであり、機器ＤＥが、病院の病室に設置される移動自在な床頭台ＢＴに設けられた機器ＤＥである。
これにより、病室の床頭台ＢＴは患者用ベッドとともに移動することが通常であり機器側コネクタ１５０と給電側コネクタ１４０とを着脱するだけで全ての接続・接続解除切り換え自在となる。
【００３７】
なお、本実施例の給電側コネクタ１４０は、給電側コネクタ後ケース１４３および複合ケーブル１３０を取り外すことで、壁Ｗに設置された一般用の交流電源コンセントである商用電源接続部Ｗ１の穴のサイズに適合し、この穴にカバースカートＣＶを介して取付けることができるサイズである。
すなわち、給電側コネクタ基板１４５などは、縦７０ｍｍ、横幅９０ｍｍ程度のサイズであり、商用電源接続部Ｗ１の穴に設置可能である。
これにより、壁Ｗに設置された一般用の交流電源コンセントの周辺のみを取り替え工事するだけで、給電側コネクタ１４０を壁Ｗに直接設置することもできる。
つまり、壁Ｗの穴の大きさを変える工事をすることなく、給電側コネクタ１４０を壁Ｗに直接設置することができる。
【００３８】
このようにして得られた本発明の第１実施例であるケーブル付コネクタ装置１００は、壁Ｗに設置された商用電源接続部Ｗ１に接続される電源コネクタ１１０と、壁Ｗに設置された信号回線接続部Ｗ２と接続される信号回線コネクタ１２０と、電源コネクタ１１０から電源ケーブル１３１を介して接続された１以上である第１所定数の給電側給電端子１４４ａと信号回線コネクタ１２０から信号ケーブル１３２を介して接続された複数である第２所定数の給電側信号端子１４４ｂとを含む給電側端子群１４４を備えた給電側コネクタ１４０と、第１所定数の給電側給電端子１４４ａと接続自在な第１所定数の機器側給電端子１５２ａと第２所定数の給電側信号端子１４４ｂと接続自在な第２所定数の機器側信号端子１５２ｂとを含む機器側端子群１５２を備えて給電側コネクタ１４０と接続自在な機器側コネクタ１５０とを備え、機器側給電端子１５２ａおよび機器側信号端子１５２ｂが、平板型の雄型端子であり、給電側給電端子１４４ａおよび給電側信号端子１４４ｂが、機器側コネクタ１５０と給電側コネクタ１４０との着脱方向Ｓに対して交差する所定方向Ｔで雄型端子をそれぞれ挟み込む雌型端子であり、給電側コネクタ１４０が、給電側給電端子１４４ａおよび給電側信号端子１４４ｂを所定方向Ｔに所定範囲内で移動自在にそれぞれ保持していることにより、壁Ｗに既に一般用の商用電源接続部Ｗ１および信号回線接続部Ｗ２が埋設されている場合であっても専用の機器側コネクタ１５０に対応した専用の給電側コネクタ１４０を壁Ｗに埋設する新たな工事なしで対応するとともに、接続する端子数が多い場合であっても機器側コネクタ１５０と給電側コネクタ１４０との着脱をスムーズにするとともに接触不良を回避して長期に亘って通電状態を安定させることができ、さらに平板型の雄型端子である機器側給電端子１５２ａおよび機器側信号端子１５２ｂの破損を長期に亘って回避することができる。
【００３９】
さらに、給電側コネクタ１４０が、給電側端子群１４４のそれぞれ接触するとともに弾性変形により給電側端子群１４４をそれぞれ付勢する複数の付勢手段付導電端子１４５ｂと、この複数の付勢手段付導電端子１４５ｂを設置した基板と、所定方向Ｔに延設されて給電側端子群１４４をそれぞれ挿通させる複数のスリットとしての給電側端子挿通スリット１４２ａおよび給電側端子挿通穴１４５ａとを有し、付勢手段付導電端子１４５ｂが、機器側コネクタ１５０と給電側コネクタ１４０との着脱方向Ｓおよび所定方向Ｔに直交する直交方向Ｕに給電側端子群１４４をそれぞれ付勢していることにより、給電側端子群１４４が遊びの範囲内で移動したときにカタカタと音が生じることを回避し、接触不良をより確実に回避するとともに、給電側コネクタ１４０の導線を不要にして構造を簡素化することができる。
【００４０】
また、機器側コネクタ１５０が、所定方向Ｔに離間した一対の凸状案内部１５１ａを有し、給電側コネクタ１４０が、所定方向Ｔに離間するとともに一対の凸状案内部１５１ａと嵌合する一対の凹状案内部１４１ｂと、一対の凹状案内部１４１ｂの外側に設置されるとともに機器側コネクタ１５０と給電側コネクタ１４０との着脱方向Ｓに対して傾斜して当接した凸状案内部１５１ａを凹状案内部１４１ｂへ案内する一対の傾斜案内部１４１ｃとを有し、機器側コネクタ１５０と給電側コネクタ１４０とが接続されるとき、一対の凸状案内部１５１ａが一対の凹状案内部内１４１ｂにそれぞれ進入した後に、機器側端子群１５２が給電側端子群１４４とそれぞれ接触することにより、容易に機器側コネクタ１５０と給電側コネクタ１４０とを接続するとともに、長期に亘って機器側端子群１５２および給電側端子群１４４の破損を回避することができる。
【００４１】
さらに、壁Ｗが、病院の病室の壁Ｗであり、機器ＤＥが、病院の病室に設置される移動自在な床頭台ＢＴに設けられた機器ＤＥであることにより、容易に床頭台ＢＴおよび患者用ベッドを病室間や病室内で移動し、電源および回線信号を確実に供給することができるなど、その効果は甚大である。
【実施例２】
【００４２】
続いて、本発明の第２実施例であるケーブル付コネクタ装置２００について、図７乃至図１０（Ｂ）に基づいて説明する。
ここで、図７は、本発明の第２実施例のケーブル付コネクタ装置２００の概略構成図であり、図８（Ａ）は、第２実施例の給電側コネクタ２４０の一部ケース切り欠き透視正面図であり、図８（Ｂ）は、第２実施例の機器側コネクタ２５０の一部ケース切り欠き透視背面図であり、図９（Ａ）は、図８（Ｂ）に示す符号９Ａ−９Ａで視た断面図であり、図９（Ｂ）は、図８（Ａ）に示す符号９Ｂ−９Ｂで視た断面図であり、図１０（Ａ）は、図８（Ｂ）に示す符号１０Ａ−１０Ａで視た側断面図であり、図１０（Ｂ）は、図８（Ａ）に示す符号１０Ｂ−１０Ｂで視た断面図である。
【００４３】
第２実施例のケーブル付コネクタ装置２００は、第１実施例のケーブル付コネクタ装置１００の機器側コネクタ１５０を、機器ＤＥから延設された機器電源ケーブルの自由端に設置された機器電源コネクタと、同様に機器ＤＥから延設された機器信号ケーブルの自由端に設置された機器信号コネクタと接続自在に設けたものであり、多くの要素について第１実施例のケーブル付コネクタ装置１００と共通するので、共通する事項については詳しい説明を省略し、下２桁が共通する２００番台の符号を付すのみとする。
【００４４】
第２実施例のケーブル付コネクタ装置２００の機器側コネクタ２５０は、図７乃至図１０（Ｂ）に示すように、機器ＤＥが設置された床頭台ＢＴに対して別体に設けられている。
機器側コネクタ２５０は、機器側コネクタ前ケース２５１と、機器側端子群２５２と、機器側コネクタ基板２５３と、機器側コネクタ後ケース２５４と、電源供給用雌型端子２５５と、信号用端子２５６とを備えている。
このうち、機器側コネクタ前ケース２５１および機器側コネクタ後ケース２５４は、機器側コネクタ基板２５３を覆うように設けられている。
【００４５】
電源供給用雌型端子２５５は、機器ＤＥと機器電源ケーブルＤＥ１を介して直接接続された機器電源コネクタＤＥ２の雄型端子と接続自在に設けられている。
同様に、信号用端子２５６は、一例として地デジ用とＬＡＮ用との２つ設けられ、機器ＤＥと機器信号ケーブルＤＥ３を介して直接接続された地デジ用とＬＡＮ用との２つの機器信号コネクタＤＥ４の機器信号端子とそれぞれ接続自在に設けられている。
これにより、機器ＤＥが専用の機器側コネクタ２５０を有してなく一般用の機器電源コネクタＤＥ２と機器信号コネクタＤＥ４との複数のコネクタを有している場合であっても機器電源コネクタＤＥ２および機器信号コネクタＤＥ４が機器側コネクタ２５０と接続されて全ての接続・接続解除切り換え可能箇所が、機器側コネクタ２５０と給電側コネクタ２４０との接続箇所の１箇所となる。
【００４６】
このようにして得られた本発明の第２実施例であるケーブル付コネクタ装置２００は、機器側コネクタ２５０が、機器ＤＥと機器電源ケーブルＤＥ１を介して直接接続された機器電源コネクタＤＥ２の雄型端子と接続自在な電源供給用雌型端子２５５と、機器ＤＥと機器信号ケーブルＤＥ３を介して直接接続された機器信号コネクタＤＥ４の機器信号端子と接続自在な信号用端子２５６とを備えていることにより、機器ＤＥの機器電源コネクタＤＥ２および機器信号コネクタＤＥ４の仕様を変更することなく容易に全ての接続・接続解除を切り換えることができるなど、その効果は甚大である。
【符号の説明】
【００４７】
１００、  ２００  ・・・  ケーブル付コネクタ装置
１１０、  ２１０  ・・・  電源コネクタ
１２０、  ２２０  ・・・  信号回線コネクタ（地デジ用コネクタ、ＬＡＮ用コネクタ）
１３０、  ２３０  ・・・  複合ケーブル
１３１、  ２３１  ・・・  電源ケーブル
１３２、  ２３２  ・・・  信号ケーブル（地デジ用ケーブル、ＬＡＮ用ケーブル）
１４０、  ２４０  ・・・  給電側コネクタ
１４１、  ２４１  ・・・  給電側コネクタ前ケース
１４１ａ、２４１ａ・・・  機器側端子挿通スリット
１４１ｂ、２４１ｂ・・・  凹状案内部
１４１ｃ、２４１ｃ・・・  傾斜案内部
１４２、  ２４２  ・・・  給電側端子位置決め板
１４２ａ、２４２ａ・・・  給電側端子挿通スリット
１４３、  ２４３  ・・・  給電側コネクタ後ケース
１４４、  ２４４  ・・・  給電側端子群
１４４ａ、２４４ａ・・・  給電側給電端子
１４４ｂ、２４４ｂ・・・  給電側信号端子
１４５、  ２４５  ・・・  給電側コネクタ基板
１４５ａ、２４５ａ・・・  給電側端子挿通穴
１４５ｂ、２４５ｂ・・・  付勢手段付導電端子
１５０、  ２５０  ・・・  機器側コネクタ
１５１、  ２５１  ・・・  機器側コネクタ前ケース
１５１ａ、２５１ａ・・・  凸状案内部
１５１ｂ、２５１ｂ・・・  挿通穴
１５２、  ２５２  ・・・  機器側端子群
１５２ａ、２５２ａ・・・  機器側給電端子
１５２ｂ、２５２ｂ・・・  機器側信号端子
１５３、  ２５３  ・・・  機器側コネクタ基板
２５４  ・・・  機器側コネクタ後ケース
２５５  ・・・  電源供給用雌型端子
２５６  ・・・  信号用端子
Ｓ      ・・・  着脱方向
Ｔ      ・・・  所定方向（着脱方向に対する左右幅方向）
Ｕ      ・・・  着脱方向および所定方向に直交する直交方向（上下方向）
Ｗ      ・・・  病室の壁
Ｗ１    ・・・  商用電源接続部（一般用電源コンセント）
Ｗ２    ・・・  信号回線接続部（地デジ用ソケット、ＬＡＮ用ソケット）
ＢＴ    ・・・  床頭台
ＤＥ    ・・・  機器
ＤＥ１  ・・・  機器電源ケーブル
ＤＥ２  ・・・  機器電源コネクタ
ＤＥ３  ・・・  機器信号ケーブル（地デジ用ケーブル、ＬＡＮ用ケーブル）
ＤＥ４  ・・・  機器信号コネクタ（地デジ用コネクタ、ＬＡＮ用コネクタ）
ＣＶ    ・・・  カバースカート
【図１】
2017073258.tif 000003
【図２】
2017073258.tif 000004
【図３】
2017073258.tif 000005
【図４】
2017073258.tif 000006
【図５】
2017073258.tif 000007
【図６】
2017073258.tif 000008
【図７】
2017073258.tif 000009
【図８】
2017073258.tif 000010
【図９】
2017073258.tif 000011
【図１０】
2017073258.tif 000012